(57)【要約】【課題】携帯型端末装置を有効に活用することが可能な電子機器システム、電子機器及び方法を提供することにある。【解決手段】実施形態によれば、電子機器と、当該電子機器に装着される携帯型端末装置とを備える電子機器システムが提供される。電子機器は、装着検出手段と、通信処理手段とを含む。装着検出手段は、携帯型端末装置が電子機器に装着されたことを検出する。通信処理手段は、携帯型端末装置が電子機器に装着されたことが装着検出手段によって検出された場合に携帯型端末装置と無線通信を実行する。携帯型端末装置は、制御手段を含む。制御手段は、通信処理手段による無線通信が実行された場合、予め定められた動作を実行する。【選択図】図６
2016051986.tif 000002
【特許請求の範囲】
【請求項１】
電子機器と、当該電子機器に装着される携帯型端末装置とを備える電子機器システムにおいて、
前記電子機器は、
前記携帯型端末装置が前記電子機器に装着されたことを検出する装着検出手段と、
前記携帯型端末装置が前記電子機器に装着されたことが前記装着検出手段によって検出された場合に前記携帯型端末装置と無線通信を実行する通信処理手段と
を含み、
前記携帯型端末装置は、前記通信処理手段による無線通信が実行された場合、予め定められた動作を実行する制御手段を含む
電子機器システム。
【請求項２】
前記電子機器は、人の存在を検出する人検出手段を更に含み、
前記通信処理手段は、前記人検出手段によって人の存在が検出された場合に、前記携帯型端末装置との無線通信を実行する
請求項１記載の電子機器システム。
【請求項３】
前記装着検出手段は、前記携帯型端末装置が前記電子機器に装着された場合に押下された状態となるスイッチを含む請求項１記載の電子機器システム。
【請求項４】
前記通信処理手段は、前記携帯型端末装置と近距離無線通信を実行する請求項１記載の電子機器システム。
【請求項５】
前記制御手段は、前記近距離無線通信の受信信号強度が予め定められた値以上である場合に前記予め定められた動作を実行する請求項４記載の電子機器システム。
【請求項６】
前記携帯型端末装置は、当該携帯型端末装置に対する操作を制限するために当該携帯型端末装置にロックが設定されている場合、前記予め定められた動作を実行する前に当該ロックを解除するロック処理手段を更に含む請求項１記載の電子機器システム。
【請求項７】
前記電子機器は、前記携帯型端末装置が前記電子機器に装着された場合に、電力を当該携帯型端末装置に対して供給する電力供給手段を更に含み、
前記ロック処理手段は、前記ロックが解除された後に前記電力供給手段による電力の供給が停止された場合、前記携帯型端末装置に前記ロックを再設定する
請求項６記載の電子機器システム。
【請求項８】
前記通信処理手段は、前記携帯型端末装置に認証情報を送信し、
前記携帯型端末装置は、前記送信された認証情報に基づいて前記電子機器の正当性を認証する認証処理手段を更に含み、
前記制御手段は、前記電子機器の正当性が認証された場合に前記予め定められた動作を実行する
請求項１記載の電子機器システム。
【請求項９】
携帯型端末装置が装着される電子機器において、
前記携帯型端末装置が前記電子機器に装着されたことを検出する装着検出手段と、
前記携帯型端末装置が前記電子機器に装着されたことが前記装着検出手段によって検出された場合に、当該携帯型端末装置に予め定められた動作を実行させるために当該携帯型端末装置と無線通信を実行する通信処理手段と
を具備する電子機器。
【請求項１０】
電子機器と、当該電子機器に装着される携帯型端末装置とを備える電子機器システムが実行する方法であって、
前記携帯型端末装置が前記電子機器に装着されたことを検出することと、
前記携帯型端末装置が前記電子機器に装着されたことが検出された場合に前記電子機器と前記携帯型端末装置との間で無線通信を実行することと、
前記電子機器と前記携帯型端末装置との間で無線通信が実行された場合、当該携帯型端末装置が予め定められた動作を実行することと
を具備する方法。
【発明の詳細な説明】
【技術分野】
【０００１】
本発明の実施形態は、電子機器システム、電子機器及び方法に関する。
【背景技術】
【０００２】
近年では、例えばタブレット端末及びスマートフォンといった携帯型端末装置が広く普及している。
【０００３】
これに伴い、このような携帯型端末装置を装着することによって、当該携帯型端末装置（に備えられるバッテリ）を容易に充電することが可能なクレードルと称される電子機器が開発されている。
【先行技術文献】
【特許文献】
【０００４】
【特許文献１】特開２０１４−０３８４３１号公報
【発明の概要】
【発明が解決しようとする課題】
【０００５】
一般的に、携帯型端末装置をクレードルに装着して当該携帯型端末装置を充電している間は、当該携帯型端末装置の画面はオフ状態にされている場合が多い。
【０００６】
このため、例えば携帯型端末装置がクレードルに装着されている際に、当該携帯型端末装置が有効に活用されているとはいえない。
【０００７】
そこで、本発明が解決しようとする課題は、携帯型端末装置を有効に活用することが可能な電子機器システム、電子機器及び方法を提供することにある。
【課題を解決するための手段】
【０００８】
実施形態によれば、電子機器と、当該電子機器に装着される携帯型端末装置とを備える電子機器システムが提供される。前記電子機器は、装着検出手段と、通信処理手段とを含む。前記装着検出手段は、前記携帯型端末装置が前記電子機器に装着されたことを検出する。前記通信処理手段は、前記携帯型端末装置が前記電子機器に装着されたことが前記装着検出手段によって検出された場合に前記携帯型端末装置と無線通信を実行する。前記携帯型端末装置は、制御手段を含む。前記制御手段は、前記通信処理手段による無線通信が実行された場合、予め定められた動作を実行する。
【図面の簡単な説明】
【０００９】
【図１】実施形態におけるクレードルの外観の一例を示す斜視図。
【図２】クレードルに装着されるタブレット端末の外観の一例を示す斜視図。
【図３】タブレット端末がクレードルに装着された状態の一例を示す斜視図。
【図４】クレードルのシステム構成の一例を示す図。
【図５】タブレット端末のシステム構成の一例を示す図。
【図６】本実施形態に係る電子機器システムの主として機能構成を示すブロック図。
【図７】タブレット端末がクレードルに装着される際の電子機器システムの動作の概要について説明するための図。
【図８】タブレット端末がクレードルに装着される際の電子機器システムの処理手順を示すフローチャート。
【図９】タブレット端末がクレードルから取り外される際のタブレット端末の処理手順を示すフローチャート。
【図１０】クレードルに人感センサが設けられない場合における電子機器システムの動作の概要について説明するための図。
【発明を実施するための形態】
【００１０】
以下、図面を参照して、実施形態について説明する。
【００１１】
図１は、本実施形態における電子機器の外観の一例を示す斜視図である。図１に示す電子機器は、例えばクレードル等と称される機器である。以下の説明においては、本実施形態における電子機器をクレードルと称する。
【００１２】
図１に示すクレードル１０は、例えばテーブルまたは机等の上に置かれて使用される卓上型のクレードルである。図１に示すように、クレードル１０は、壁部１１及び載置部１２を備える。これにより、クレードル１０は、携帯型端末装置を壁部１１に立て掛けるようにして載置部１２に載置することによって、当該携帯型端末装置を装着可能な構成である。なお、クレードル１０に装着される携帯型端末装置には、例えばタブレット端末、スマートフォン及びＰＤＡ等が含まれる。以下の説明においては、クレードル１０に装着される携帯型端末装置はタブレット端末であるものとして説明する。
【００１３】
また、載置部１２には、充電端子１２ａ、スイッチ１２ｂ及び人感センサ（焦電センサ）１２ｃが設けられている。
【００１４】
充電端子１２ａは、図１に示すように例えば載置部１２の上面に設けられており、この充電端子１２ａにより、タブレット端末がクレードル１０に装着されると、当該クレードル１０と当該タブレット端末とが電気的に接続される。これにより、クレードル１０に装着されたタブレット端末に対して当該クレードル１０から電力を供給することが可能となり、クレードル１０を用いてタブレット端末を充電することができる。
【００１５】
スイッチ１２ｂは、タブレット端末がクレードル１０に装着された場合に当該タブレット端末によって押下された状態となる位置（図１に示す例では、載置部１２の上面）に設けられている。タブレット端末がクレードル１０に装着されることによってこのようなスイッチ１２ｂが押下された場合には、クレードル１０が電源オンされて上記したタブレット端末の充電等が開始される。
【００１６】
人感センサ１２ｃは、図１に示すように例えば載置部１２の前面側に支持されている。人感センサ１２ｃは、当該人感センサ１２ｃの近傍（つまり、クレードル１０の周囲）における人の存在（つまり、人がいること）を検出するためのセンサである。
【００１７】
ここで、図２は、図１に示すクレードル１０に装着されるタブレット端末の外観の一例を示す斜視図である。図２に示すタブレット端末２０は、本体２１と、タッチスクリーンディスプレイ２２とを備える。
【００１８】
本体２１は、薄い箱型の筐体を有する。タッチスクリーンディスプレイ２２には、フラットパネルディスプレイと、フラットパネルディスプレイの画面上への指等の接触位置を検出するセンサとが組み込まれている。フラットパネルディスプレイは、例えばＬＣＤ等を含む。センサは、例えばタッチパネル等を含む。この場合、タッチパネルは、ＬＣＤを覆うように設けられる。
【００１９】
図２においては図示されていないが、タブレット端末２０の側面には、例えば当該タブレット端末２０の電源をオン／オフするための電源ボタン（パワーボタン）及びｍｉｃｒｏＵＳＢコネクタ等が設けられている。なお、タブレット端末２０の充電に上記したクレードル１０を用いない場合には、例えば一方のプラグがＵＳＢ電源アダプタ等に差し込まれたＵＳＢケーブルの他方のプラグ（ｍｉｃｒｏＵＳＢプラグ）を、タブレット端末２０に設けられているｍｉｃｒｏＵＳＢコネクタに差し込むことによって、当該タブレット端末２０を充電することも可能である。ＵＳＢ電源アダプタは、ＵＳＢコネクタを備えた外部電源装置である。
【００２０】
図３は、上記した図２に示すタブレット端末２０が図１に示すクレードル１０に装着された状態の一例を示す斜視図である。
【００２１】
図３に示すように、タブレット端末２０は、例えばカバーユニット３０が取り付けられた状態でクレードル１０に装着される。
【００２２】
図示されていないが、カバーユニット３０の内面にはｍｉｃｒｏＵＳＢプラグが設けられており、当該カバーユニット３０は、当該ｍｉｃｒｏＵＳＢプラグがタブレット端末２０の側面に設けられているｍｉｃｒｏＵＳＢコネクタに差し込まれた状態で取り付けられる。これにより、タブレット端末２０及びカバーユニット３０が接続される。
【００２３】
また、カバーユニット３０の側面（カバーユニット３０が取り付けられたタブレット端末２０がクレードル１０に装着された場合に、当該クレードル１０に設けられている充電端子１２ａに当接する位置）には、充電端子（図示せず）が設けられている。
【００２４】
これによれば、カバーユニット３０が取り付けられたタブレット端末２０がクレードル１０に装着された場合には、当該カバーユニット３０の側面に設けられている充電端子と当該クレードル１０に備えられる載置部１２の上面に設けられている充電端子１２ａとが当接（接触）するため、当該カバーユニット３０とクレードル１０とを電気的に接続することができる。
【００２５】
すなわち、本実施形態において、タブレット端末２０がクレードル１０に装着された場合には、当該タブレット端末２０に取り付けられているカバーユニット３０を介して当該クレードル１０及びタブレット端末２０が電気的に接続される。
【００２６】
このようなカバーユニット３０を各種タブレット端末２０毎に用意しておくことで、大きさ及び形状等の異なるタブレット端末２０であってもクレードル１０に装着することが可能となる。
【００２７】
ここでは、カバーユニット３０が取り付けられたタブレット端末２０がクレードル１０に装着されるものとして説明したが、タブレット端末２０がクレードル１０に装着された際に、クレードル１０及びタブレット端末２０が電気的に接続可能であれば、当該タブレット端末２０が直接クレードル１０に装着されても構わない。
【００２８】
なお、上述したように本実施形態においてはカバーユニット３０が取り付けられたタブレット端末２０がクレードル１０に装着されるが、以下の説明においては便宜的に単にタブレット端末２０がクレードル１０に装着されるものとして説明する。
【００２９】
また、図３に示すように、カバーユニット３０には適宜開口部３１が設けられている。これによれば、カバーユニット３０がタブレット端末２０に取り付けられた状態であっても、当該タブレット端末２０の側面に設けられている電源ボタン２３等に対する操作を行うことが可能となっている。
【００３０】
なお、図３に示すようなクレードル（電子機器）１０及び当該クレードル１０に装着されるタブレット端末（携帯型端末装置）２０は、本実施形態に係る電子機器システムを構成する。
【００３１】
図４は、クレードル１０のシステム構成の一例を示す。図４に示すように、クレードル１０は、上述した充電端子１２ａ、スイッチ１２ｂ及び人感センサ１２ｃに加えて、例えば制御回路１０１、ＢＴ（Ｂｌｕｅｔｏｏｔｈ（登録商標））モジュール１０２及び充電回路１０３等を備える。
【００３２】
制御回路１０１は、例えばワンチップマイクロコンピュータとして構成されており、クレードル１０内における各種制御を実行する。制御回路１０１には、スイッチ１２ｂ、人感センサ１２ｃ、ＢＴモジュール１０２及び充電回路１０３等が接続される。
【００３３】
ＢＴモジュール１０２は、Ｂｌｕｅｔｏｏｔｈを使用して、Ｂｌｕｅｔｏｏｔｈ対応機器と近距離無線通信を実行するように構成されたモジュールである。なお、ＢＴモジュール１０２としては、例えばＢｌｕｅｔｏｏｔｈタグ等が利用される。
【００３４】
充電回路１０３は、例えばクレードル１０に接続されるＵＳＢ電源アダプタのような外部電源装置から供給される電力を、当該クレードル１０に装着されたタブレット端末２０に供給し、当該タブレット端末２０を充電するための回路である。なお、外部電源装置からの電力は、充電端子１２ａを介してタブレット端末２０に供給される。
【００３５】
図５は、クレードル１０に装着されるタブレット端末２０のシステム構成の一例を示す。図５に示すように、タブレット端末２０は、上述したタッチスクリーンディスプレイ２２に加えて、例えばＣＰＵ２０１、不揮発性メモリ２０２、主メモリ２０３、ＢＩＯＳ−ＲＯＭ２０４、システムコントローラ２０５、グラフィクスコントローラ２０６、ＢＴモジュール２０７、ＥＣ２０８、電源回路２０９及びバッテリ２１０等を備える。また、タッチスクリーンディスプレイ２２は、ＬＣＤ２２Ａ及びタッチパネル２２Ｂを備える。
【００３６】
ＣＰＵ２０１は、タブレット端末２０内の各コンポーネントの動作を制御するプロセッサである。ＣＰＵ２０１は、ストレージデバイスである不揮発性メモリ２０２から主メモリ２０３にロードされる各種ソフトウェアを実行する。これらソフトウェアには、オペレーティングシステム（ＯＳ）２０３ａ及び各種アプリケーションプログラムが含まれる。また、この各種アプリケーションプログラムには、動作制御アプリケーションプログラム２０３ｂが含まれる。この動作制御アプリケーションプログラム２０３ｂは、後述するようにタブレット端末２０がクレードル１０に装着された際のタブレット端末２０の動作を制御する機能を有する。
【００３７】
ＣＰＵ２０１は、ＢＩＯＳ−ＲＯＭ２０４に格納された基本入出力システム（ＢＩＯＳ）も実行する。ＢＩＯＳは、ハードウェア制御のためのプログラムである。
【００３８】
システムコントローラ２０５は、ＣＰＵ２０１のローカルバスと各種コンポーネントとの間を接続するデバイスである。システムコントローラ２０５には、主メモリ２０３をアクセス制御するメモリコントローラも内蔵されている。システムコントローラ２０５は、ＰＣＩ  ＥＸＰＲＥＳＳ規格のシリアルバス等を介してグラフィクスコントローラ２０６との通信を実行する機能も有している。
【００３９】
グラフィクスコントローラ２０６は、タブレット端末２０のタッチスクリーンディスプレイ２２として使用されるＬＣＤ２２Ａを制御する表示コントローラである。グラフィクスコントローラ２０６によって生成される表示信号は、ＬＣＤ２２Ａに送られる。ＬＣＤ２２Ａは、表示信号に基づいて画面イメージを表示する。タッチパネル２２Ｂは、ＬＣＤ２２Ａの画面上で入力を行うための例えば静電容量式のポインティングデバイスである。例えばユーザの指が接触される画面上の接触位置及び当該接触位置の動き等は、タッチパネル２２Ｂによって検出される。このタッチパネル２２Ｂにより、ＬＣＤ２２Ａの画面に表示されたグラフィカルユーザインタフェース等を操作することができる。
【００４０】
ＢＴモジュール２０７は、Ｂｌｕｅｔｏｏｔｈを使用して、Ｂｌｕｅｔｏｏｔｈ対応機器と近距離無線通信を実行するように構成されたモジュールである。
【００４１】
ＥＣ２０８は、電力管理のためのエンベデッドコントローラを含むワンチップマイクロコンピュータである。ＥＣ２０８は、ユーザによる電源ボタン２３に対する操作に応じてタブレット端末２０を電源オン／オフする機能を有している。
【００４２】
電源回路２０９は、例えばバッテリ２１０から供給される電力を用いて、タブレット端末２０内の各コンポーネントに供給すべき電力を生成する。
【００４３】
なお、図５においては、上述した電源ボタン２３及びｍｉｃｒｏＵＳＢコネクタ等については省略されている。
【００４４】
図６は、本実施形態に係る電子機器システム（クレードル１０及びタブレット端末２０）の主として機能構成を示すブロック図である。
【００４５】
図６に示すように、クレードル１０は、検出部１１１、制御部１１２、電力供給部１１３及び通信処理部１１４を含む。
【００４６】
検出部１１１は、クレードル１０（に備えられる載置部１２）に設けられている人感センサ１２ｃによって実現される機能部であり、当該クレードル１０の周囲における人の存在を検出する。
【００４７】
制御部１１２は、クレードル１０に備えられる制御回路１０１によって実現される機能部である。制御部１１２は、スイッチ１２ｂが押下された場合にタブレット端末２０がクレードル１０装着されたことを検出する。制御部１１２は、タブレット端末２０がクレードル１０に装着されたことが検出された場合、当該タブレット端末２０に備えられるバッテリ２１０を充電するための電力を当該タブレット端末２０に対して供給するように電力供給部１１３を制御する。
【００４８】
また、制御部１１２は、タブレット端末２０がクレードル１０に装着されたことが検出され、かつ、検出部１１１によって人の存在が検出された場合、タブレット端末２０と無線通信を実行するように通信処理部１１４を制御する。
【００４９】
電力供給部１１３は、上記したクレードル１０に備えられる充電回路１０３によって実現される機能部であり、制御部１１２による制御に基づいて電力をタブレット端末２０に対して供給する。
【００５０】
通信処理部１１４は、上記したクレードル１０に備えられるＢＴモジュール１０２によって実現される機能部であり、制御部１１２による制御に基づいてＢｌｕｅｔｏｏｔｈによる無線通信（近距離無線通信）を実行する。この場合、通信処理部１１４は、タブレット端末２０側でクレードル１０の正当性を認証するために用いられる認証情報をタブレット端末２０に対して送信する。
【００５１】
また、図６に示すように、タブレット端末２０は、電源管理部２１１、認証処理部２１２、ロック処理部２１３、動作制御部２１４、情報取得部２１５及び格納部２１６を含む。
【００５２】
電源管理部２１１は、タブレット端末２０全体への電力供給を管理する機能部である。例えばタブレット端末２０がクレードル１０に装着されている場合、電源管理部２１１は、クレードル１０に含まれる電力供給部１１３によって供給される電力を用いてバッテリ２１０を充電する。
【００５３】
認証処理部２１２は、クレードル１０に含まれる通信処理部１１４による無線通信が実行された際に当該通信処理部１１４によって送信された認証情報を用いて、クレードル１０（に備えられるＢＴモジュール１０２）に対する認証処理を実行する。この認証処理によれば、クレードル１０の正当性が認証される。
【００５４】
ロック処理部２１３は、上記したように通信処理部１１４との無線通信が実行された場合であって、タブレット端末２０に対する操作を制限するために当該タブレット端末２０にロック（例えば、パスワードロック）が設定されている場合には、当該ロックを解除する。また、ロック処理部２１３は、ロックが解除された後に、クレードル１０（に含まれる電力供給部１１３）からの電力の供給が停止された場合（つまり、タブレット端末２０がクレードル１０から取り外された場合）、タブレット端末２０に対して再度ロックを設定（つまり、ロックを再設定）する。
【００５５】
動作制御部２１４は、通信処理部１１４による無線通信が実行され場合（つまり、タブレット端末２０がクレードル１０に装着された場合）、特定の動作（予め定められた動作）を実行する。なお、動作制御部２１４によって実行される特定の動作は、上述した動作制御アプリケーションプログラム２０３ｂ等において予め設定されている。具体的には、動作制御部２１４は、タブレット端末２０の画面をオン状態にして（つまり、当該画面を点灯させて）、当該タブレット端末２０の画面に各種情報を表示するような動作を実行することができる。
【００５６】
情報取得部２１５は、上記したように動作制御部２１４による制御によってタブレット端末２０の画面に情報が表示される場合、当該表示されることによってユーザに提供される情報（以下、提供情報と表記）を取得する。この提供情報は、格納部２１６に予め格納されていてもよいし、例えば外部の各種サーバ装置等から取得されても構わない。
【００５７】
なお、本実施形態におけるタブレット端末２０に含まれる各機能部は、例えばＣＰＵ２０１が動作制御アプリケーションプログラム２０３ｂを実行することにより実現される。
【００５８】
次に、本実施形態に係る電子機器システムの動作について説明する。まず、図７を参照して、タブレット端末２０がクレードル１０に装着される際の電子機器システムの動作の概要について説明する。
【００５９】
以下の説明では、タブレット端末２０がクレードル１０に装着された場合には、タブレット端末２０ではタブレット端末２０の画面に提供情報を表示するような動作が実行されるものとして説明する。
【００６０】
まず、クレードル１０にタブレット端末２０が装着されることによってスイッチ１２ｂが押下された状態となった場合、クレードル１０に含まれる制御部１１２は、タブレット端末２０がクレードル１０に装着されたことを検出することができる（Ａ１）。
【００６１】
このようにタブレット端末２０がクレードル１０に装着されたことが検出されると、クレードル１０に含まれる制御部１１２の制御に基づいて、当該クレードル１０からタブレット端末２０に対して電力（電源）の供給が開始される（Ａ２）。
【００６２】
一方、クレードル１０の周囲に人が存在する場合には、人感センサ１２ｃにより人の存在が検出される（Ａ３）。
【００６３】
この場合、制御部１１２は、通信処理部１１４（ＢＴモジュール１０２）を制御することによって（Ａ４）、タブレット端末２０とのＢｌｕｅｔｏｏｔｈによる無線通信（ＢＴ通信）を実行する（Ａ５）。この場合、タブレット端末２０は、クレードル１０とのＢｌｕｅｔｏｏｔｈによる無線通信を行うことが可能な状態であるものとする。
【００６４】
このようにＢｌｕｅｔｏｏｔｈによる無線通信が実行されると、タブレット端末２０側では、動作制御アプリケーションプログラム２０３ｂにより、クレードル１０の正当性を認証する処理及び当該タブレット端末２０のロック状態を一時的に解除する処理等が実行される。その後、タブレット端末２０に備えられるタッチスクリーンディスプレイ２２（つまり、タブレット端末２０の画面）がオン状態にされ（Ａ６）、当該タッチスクリーンディスプレイ２２に提供情報が表示される（Ａ７）。
【００６５】
次に、図８のシーケンスチャートを参照して、タブレット端末２０がクレードル１０に装着される際の電子機器システムの処理手順について詳細に説明する。
【００６６】
まず、上述したようにタブレット端末２０がクレードル１０に装着された場合、クレードル１０（に備えられる載置部１２の上面）に設けられているスイッチ１２ｂは押下された状態となる。この場合、クレードル１０が電源オンされる（ブロックＢ１）。これにより、クレードル１０に含まれる制御部１１２は、タブレット端末２０がクレードル１０に装着されたことを検出することができる。
【００６７】
クレードル１０が電源オンされると、制御部１１２は、電力供給部１１３を制御することによってタブレット端末２０への電力の供給を開始する（ブロックＢ２）。これにより、タブレット端末２０のバッテリ２１０の充電が開始される。
【００６８】
ここで、検出部１１１は、人感センサ１２ｃにより、クレードル１０の周囲に人が存在している場合に、当該人の存在を検出することができる（ブロックＢ３）。
【００６９】
検出部１１１によって人の存在が検出された場合、制御部１１２は、通信処理部１１４を制御することによってタブレット端末２０とのＢｌｕｅｔｏｏｔｈによる無線通信（近距離無線通信）を実行する（ブロックＢ４）。このとき、通信処理部１１４は、例えばＢＴモジュール１０２のＩＤ（情報）を認証情報としてタブレット端末２０に送信する。
【００７０】
タブレット端末２０に含まれる認証処理部２１２は、上記したようにクレードル１０（に含まれる通信処理部１１４）によってＢｌｕｅｔｏｏｔｈによる無線通信が実行された場合、ＢＴモジュール２０７を介して当該通信処理部１１４によって送信された認証情報を受信する。認証処理部２１２は、受信された認証情報を用いてクレードル１０に対する認証処理を実行する（ブロックＢ５）。
【００７１】
ここで、タブレット端末２０の内部には、当該タブレット端末２０に対応するクレードル１０に備えられるＢＴモジュール１０２のＩＤ（認証情報）が予め保持されているものとする。この場合、認証処理部２１２は、受信された認証情報がタブレット端末２０の内部に予め保持されている認証情報と一致する場合には、当該タブレット端末２０が装着されたクレードル１０（に備えられるＢＴモジュール１０２）の正当性が認証される。一方、認証処理部２１２によって受信された認証情報がタブレット端末２０の内部に予め保持されている認証情報と一致しない場合には、当該タブレット端末２０が装着されたクレードル１０の正当性は認証されない。
【００７２】
以下の説明においては、認証処理によってタブレット端末２０が装着されたクレードル１０の正当性が認証されたものとして説明するが、当該クレードル１０の正当性が認証されない場合には以下のブロックＢ６以降の処理は実行されない。
【００７３】
なお、ここではクレードル１０から認証情報が受信されると認証処理が実行されるものとして説明したが、例えば当該Ｂｌｕｅｔｏｏｔｈ（近距離無線通信）の受信信号強度（電波強度）が予め定められた値以上である場合にのみ認証処理が実行されるような構成であっても構わない。これによれば、クレードル１０とタブレット端末２０との距離を把握することができるため、タブレット端末２０において受信された認証情報が当該タブレット端末２０が装着されたクレードル１０から送信されたものであるか否かを判別することができる。
【００７４】
上記したようにタブレット端末２０が装着されたクレードル１０の正当性が認証された場合、ロック処理部２１３は、タブレット端末２０に設定されているロック（例えば、パスワードロック）を解除する（ブロックＢ６）。なお、ロックの解除に必要なパスワード等の情報は、タブレット端末２０内で管理されているものとする。また、タブレット端末２０においては例えば当該タブレット端末２０が有する機能毎に個別にロックを設定することができるが、本実施形態においては、後述する提供情報の表示に必要なロックの解除のみが実行されるものとする。
【００７５】
ここでは、タブレット端末２０にロックが設定されている場合について説明したが、タブレット端末２０にロックが設定されていない場合には、ブロックＢ６の処理は実行されない。
【００７６】
次に、情報取得部２１５は、提供情報を取得する（ブロックＢ７）。ここで、情報取得部２１５によって取得される提供情報には、例えばタブレット端末２０内に登録されている当該タブレット端末２０を利用するユーザのスケジュール（情報）、及び企業または商品等の宣伝広告（情報）等が含まれる。また、タブレット端末２０内にユーザの住所等が登録されている場合には、当該住所に応じた天気情報等が提供情報として取得されてもよいし、交通、防犯及び防災等に関する情報が提供情報として取得されても構わない。更に、遠隔地に居住する親族等を見守るために、外部のサーバ装置にアップロードされた当該親族に関する情報（例えば、当該親族からの伝言メッセージ、当該親族が利用している各種端末装置等の利用状況及び当該端末装置に登録された当該親族の健康情報等）が提供情報として取得されても構わない。なお、提供情報はこれらに限定されない。また、これらの提供情報は、格納部２１６から取得されてもよいし、外部のサーバ装置（クラウドサーバ）等から取得されてもよい。
【００７７】
動作制御部２１４は、タブレット端末２０の画面（タッチスクリーンディスプレイ２２）をオン状態にする（ブロックＢ８）。これにより、タブレット端末２０の画面が点灯する。
【００７８】
動作制御部２１４は、情報取得部２１５によって取得された提供情報をタブレット端末２０の画面に表示する（ブロックＢ９）。
【００７９】
上記した図８に示す処理によれば、タブレット端末２０が装着されているクレードル１０の周囲に人が存在する場合には、当該タブレット端末２０の画面に提供情報を表示することができる。
【００８０】
次に、図９のフローチャートを参照して、タブレット端末２０がクレードル１０から取り外される際のタブレット端末２０の処理手順について説明する。
【００８１】
ここでは、タブレット端末２０が装着されているクレードル１０の周囲に人が存在しており、当該タブレット端末２０の画面には提供情報が表示されているものとする。
【００８２】
ここで、例えばユーザによってタブレット端末２０がクレードル１０から取り外されると、クレードル１０（に備えられる載置部１２の上面）に設けられているスイッチ１２ｂは、押下された状態から解放される。これによれば、クレードル１０は電源オフされ、当該クレードル１０（に含まれる電力供給部１１３）からタブレット端末２０への電力の供給は停止される。
【００８３】
この場合、タブレット端末２０に含まれる電源管理部２１１は、クレードル１０からの電力の供給の停止を検出する（ブロックＢ１１）。
【００８４】
次に、ロック処理部２１３は、上述した図７に示すブロックＢ６において解除されたロックを再設定する（ブロックＢ１２）。
【００８５】
ロックの再設定が完了されると、動作制御部２１４は、タブレット端末２０の画面をオフ状態にする（ブロックＢ１３）。これにより、タブレット端末２０の画面が消灯する。
【００８６】
上記した図９に示す処理によれば、タブレット端末２０がクレードル１０から取り外された場合にはタブレット端末２０に設定されていたロック（つまり、図８に示すブロックＢ６において解除されたロック）を再設定することができる。これにより、タブレット端末２０がクレードル１０から取り外された後に、例えばユーザ等がタブレット端末２０を利用しようとした場合には、ロック解除画面（例えば、パスワード入力画面）等が表示される。
【００８７】
上記したように本実施形態においては、タブレット端末２０がクレードル１０に装着されたことが検出された場合に当該クレードル１０が当該タブレット端末２０と無線通信を実行し、当該無線通信が実行された場合に、特定の動作を実行する。すなわち、本実施形態においては、例えばクレードル１０に装着されたことを検出する機能を有していない一般的なタブレット端末２０であっても、クレードル１０との間で無線通信を実行することで当該タブレット端末２０がクレードル１０に装着されたことを認識することができるため、クレードル１０に装着されたタブレット端末２０に特定の動作を実行させることができる。本実施形態においては、このような構成により、タブレット端末２０がクレードル１０に装着されている場合にタブレット端末２０を有効に活用することができる。
【００８８】
また、本実施形態においては、人の存在が検出された場合にクレードル１０がタブレット端末２０と無線通信を実行するため、当該クレードル１０（及びタブレット端末２０）の周囲に人がいる場合に特定の動作を実行させることができ、より効果的にタブレット端末２０を活用することが可能となる。
【００８９】
また、本実施形態においては、タブレット端末２０がクレードル１０に装着された場合に押下された状態となるスイッチ１２ｂが設けられていることにより、タブレット端末２０がクレードル１０に装着されたことを確実に検出することが可能となる。
【００９０】
ここで、Ｂｌｕｅｔｏｏｔｈによる無線通信が可能な範囲は一般的に数ｍ〜十数ｍ程度である。よって、クレードル１０に装着されていないタブレット端末２０であっても、当該タブレット端末２０がＢｌｕｅｔｏｏｔｈによる無線通信が可能な範囲に存在する場合には、当該クレードル１０との間でＢｌｕｅｔｏｏｔｈによる無線通信が実行され、当該タブレット端末２０に特定の動作を実行させてしまう可能性がある。このため、本実施形態においては、Ｂｌｕｅｔｏｏｔｈによる無線通信（近距離無線通信）の受信信号強度が予め定められた値以上である場合に特定の動作を実行する。これにより、クレードル１０に装着されていないタブレット端末２０に誤って特定の動作を実行させることを防止することができる。
【００９１】
なお、本実施形態においては、クレードル１０とタブレット端末２０との間でＢｌｕｅｔｏｏｔｈによる無線通信が実行されるものとして説明したが、当該クレードル１０とタブレット端末２０との間では、Ｂｌｕｅｔｏｏｔｈによる無線通信に代えて非接触通信が実行されるような構成であっても構わない。この場合、クレードル１０とタブレット端末２０にはそれぞれ例えばＮＦＣ（Near Field Communication）のような非接触通信モジュールが搭載されていればよい。
【００９２】
また、本実施形態においては、タブレット端末２０に対する操作を制限するために当該タブレット端末２０にロックが設定されている場合には、特定の動作を実行する前に当該ロックを解除する。本実施形態においては、このような構成により、タブレット端末２０にロックが設定されていた場合であっても当該タブレット端末２０に特定の動作を実行させることが可能となる。
【００９３】
更に、本実施形態においては、上記したようにロックが解除された後にクレードル１０からの電力の供給が停止された場合（つまり、タブレット端末２０がクレードル１０から取り外された場合）、当該タブレット端末２０に当該ロックを再設定する。本実施形態においては、このような構成により、上記したように特定の動作を実行するためにロックが一時的に解除された場合であっても、タブレット端末２０がクレードル１０から取り外された後のタブレット端末２０のセキュリティ等を確保することが可能となる。
【００９４】
また、本実施形態においては、クレードル１０の正当性を認証する認証処理を実行することにより、タブレット端末２０が対応するクレードル１０に装着された場合にのみ特定の動作を実行するようにすることが可能となる。本実施形態においては、タブレット端末２０が対応するクレードル１０に装着された場合にのみ特定の動作を実行するために認証処理が実行されるものとして説明したが、クレードル１０の正当性を認証する必要がない場合（例えば、他のユーザ等のクレードル１０に装着した場合であってもタブレット端末２０に特定の動作を実行させるような場合）には、認証処理は実行されなくても構わない。
【００９５】
なお、本実施形態においては、人の存在を検出するために人感センサ１２ｃを用いるものとして説明したが、当該人の存在を検出するために他のセンサ等が用いられても構わない。
【００９６】
具体的には、クレードル１０が置かれている部屋のドアの開閉を検出することができるセンサを用いるような構成であっても構わない。このような構成において、ドアが開かれたことが検出された場合には、人が部屋に進入してきたものとして人の存在を検出することができる。この場合におけるセンサによる検出結果は、例えば無線通信によりクレードル１０において受信されるような構成としてもよい。
【００９７】
また、周囲光の強度（つまり、照明の点灯等）を検出することができるようなセンサを用いることにより、照明の点灯が検出された場合には、周囲に人が存在しているものとして検出するようにしてもよい。更には、周囲の音を検出することができるようなセンサ（例えば、マイク等）を用いて人の存在を検出するようにしてもよい。
【００９８】
更に、本実施形態においては、人の存在を検出するためのセンサ（例えば、人感センサ１２ｃ）がクレードル１０に設けられているものとして説明したが、当該センサが設けられない構成であっても構わない。
【００９９】
ここで、図１０を参照して、クレードル１０に人感センサ１２ｃが設けられない場合における、タブレット端末２０がクレードル１０に装着される際の電子機器システムの動作の概要について簡単に説明する。なお、ここでは上述した図７と異なる部分について主に述べる。
【０１００】
まず、図７に示すＡ１及びＡ２に相当するＡ１１及びＡ１２の動作が行われる。クレードル１０が人感センサ１２ｃを設けない場合には、図７に示すＡ３の動作は行われず、図７に示すＡ４〜Ａ７に相当するＡ１３〜Ａ１６の動作が行われる。
【０１０１】
電子機器システムにおいてこのような動作が行われることにより、クレードル１０に人感センサ１２ｃが設けられていない場合であっても、タブレット端末２０がクレードル１０に装着された場合に提供情報を表示することができ、タブレット端末２０を有効に活用することが可能となる。
【０１０２】
なお、本実施形態においては、タブレット端末２０がクレードル１０に装着された場合に、上述した提供情報をタブレット端末２０の画面に表示するものとして主に説明したが、例えば当該提供情報は音声等で出力されるような構成であってもよい。更に、本実施形態に係る電子機器システムは、当該タブレット端末２０がクレードル１０に装着された際に当該タブレット端末２０に特定の動作を実行させるものであればよい。具体的には、タブレット端末２０がクレードル１０に装着された場合に、例えばタブレット端末２０にインストールされている特定のアプリケーションプログラムを起動するような動作をタブレット端末２０に実行させてもよい。また、タブレット端末２０がクレードル１０に装着された場合に、当該タブレット端末２０内で格納されている音楽データ等を例えば無線通信によりクレードル１０に送信し、当該音楽データをクレードル１０に備えられるスピーカから出力させる（すなわち、データの出力先を切り替えるような動作を実行する）ような動作をタブレット端末２０に実行させてもよい。
【０１０３】
また、本実施形態におけるクレードル１０は卓上型のクレードルであるものとして説明したが、本実施形態は、例えば室内の壁面等に掛けられて使用される壁掛け型のクレードルに適用されても構わない。
【０１０４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１０５】
１０…クレードル（電子機器）、１１…壁部、１２…載置部、１２ａ…充電端子、１２ｂ…スイッチ、１２ｃ…人感センサ、２０…タブレット端末（携帯型端末装置）、２１…本体、２２…タッチスクリーンディスプレイ、２２Ａ…ＬＣＤ、２２Ｂ…タッチパネル、２３…電源ボタン、３０…カバーユニット、３１…開口部、１０１…制御回路、１０２…ＢＴモジュール、１０３…充電回路、１１１…検出部、１１２…制御部、１１３…電力供給部、１１４…通信処理部、２０１…ＣＰＵ、２０２…不揮発性メモリ、２０３…主メモリ、２０４…ＢＩＯＳ−ＲＯＭ、２０５…システムコントローラ、２０６…グラフィクスコントローラ、２０７…ＢＴモジュール、２０８…ＥＣ、２０９…電源回路、２１０…バッテリ、２１１…電源管理部、２１２…認証処理部、２１３…ロック処理部、２１４…動作制御部、２１５…情報取得部、２１６…格納部。
【図１】
2016051986.tif 000003
【図２】
2016051986.tif 000004
【図３】
2016051986.tif 000005
【図４】
2016051986.tif 000006
【図５】
2016051986.tif 000007
【図６】
2016051986.tif 000008
【図７】
2016051986.tif 000009
【図８】
2016051986.tif 000010
【図９】
2016051986.tif 000011
【図１０】
2016051986.tif 000012